(57)【要約】【課題】第１の無線機、第２の無線機、および無線特性測定用機器を分配器に一括接続した場合に、第１および第２の無線機の各々の負荷を無線機の状態に関わらず同一とすることにより、分配器の配分誤差を低減する。【解決手段】第１および第２の無線機の各々は、自己または他方の無線機の無線特性の測定時に、無線特性測定用の所定の信号が入出力される無線測定端子と、受信回路と、送信回路と、受信回路側または送信回路側に切替えられて、切替えられた回路側に無線測定端子を接続する送受信切替回路と、送受信切替回路と送信回路との間に配置され、送信回路から送受信回路へ向かう方向にのみ信号を通過させるアイソレータとを有し、送受信切替回路は、他方の無線機の無線特性を測定するために自己の無線機が待機中となる場合、送信回路側に切替えられて、無線測定端子をアイソレータに接続する。【選択図】図１
2006148653.tif 000002
【特許請求の範囲】
【請求項１】
同種類の第１および第２の無線機を搭載する無線端末において、
前記第１および第２の無線機の各々は、
自己または他方の無線機の無線特性の測定時に、無線特性測定用の所定の信号が入出力される無線測定端子と、
受信回路と、
送信回路と、
前記受信回路側または前記送信回路側に切替えられて、切替えられた回路側に前記無線測定端子を接続する送受信切替回路と、
前記送受信切替回路と前記送信回路との間に配置され、前記送信回路から前記送受信回路へ向かう方向にのみ信号を通過させるアイソレータとを有し、
前記送受信切替回路は、他方の無線機の無線特性を測定するために自己の無線機が待機中となる場合、前記送信回路側に切替えられて、前記無線測定端子を前記アイソレータに接続する、無線端末。
【請求項２】
前記第１および第２の無線機はＰＨＳ用無線機である、請求項１に記載の無線端末。
【請求項３】
同種類の第１および第２の無線機を搭載した無線端末と、前記第１または第２の無線機の無線特性の測定時に、無線特性測定用の所定の信号が入出力される無線特性測定用機器と、前記第１の無線機、前記第２の無線機、および前記無線特性測定用機器を接続する分配器とを有してなる無線端末測定システムにおいて、
前記第１および第２の無線機の各々は、
前記分配器に接続され、自己または他方の無線機の無線特性の測定時に、前記分配器を介して前記所定の信号が入出力される無線測定端子と、
受信回路と、
送信回路と、
前記受信回路側または前記送信回路側に切替えられて、切替えられた回路側に前記無線測定端子を接続する送受信切替回路と、
前記送受信切替回路と前記送信回路との間に配置され、前記送信回路から前記送受信回路へ向かう方向にのみ信号を通過させるアイソレータとを有し、
前記送受信切替回路は、他方の無線機の無線特性を測定するために自己の無線機が待機中となる場合、前記送信回路側に切替えられて、前記無線測定端子を前記アイソレータに接続する、無線端末測定システム。
【請求項４】
前記第１および第２の無線機はＰＨＳ用無線機である、請求項３に記載の無線端末測定システム。
【請求項５】
無線特性の測定時に無線特性測定用の所定の信号が入出力される無線測定端子と、受信回路と、送信回路と、前記受信回路側または前記送信回路側に切替えられて、切替えられた回路側に前記無線測定端子を接続する送受信切替回路と、前記送受信切替回路と前記送信回路との間に配置され、前記送信回路から前記送受信回路へ向かう方向にのみ信号を通過させるアイソレータとを各々が有し、同種の第１および第２の無線機を搭載した無線端末における無線測定端子の接続方法であって、
前記第１および第２の無線機の各々では、他方の無線機の無線特性を測定するために自己の無線機が待機中となる場合、前記送受信切替回路が、前記送信回路側に切替えられて、前記無線測定端子を前記アイソレータに接続する、無線測定端子の接続方法。
【請求項６】
前記第１および第２の無線機はＰＨＳ用無線機である、請求項５に記載の無線測定端子の接続方法。
【発明の詳細な説明】
【技術分野】
【０００１】
本発明は、同一筐体に２つの無線機を搭載したＰＨＳ（Ｐｅｒｓｏｎａｌ  Ｈａｎｄｙｐｈｏｎｅ  Ｓｙｓｔｅｍ）端末等の無線端末、無線端末測定システム、および無線端末における無線測定端子の接続方法に関する。
【背景技術】
【０００２】
従来の無線端末に搭載される無線機の構成の一例を図３に示す。
【０００３】
図３に示した無線機は、アンテナ１１１と、アンテナ１１１を介して無線信号を受信する受信回路１１２と、アンテナ１１１を介して無線信号を送信する送信回路１１３と、無線特性の測定時に、無線特性測定用の信号が入出力される無線測定端子１１４と、所定の周波数帯域の信号のみを通過させるＢＰＦ（Band-Pass Filter）１１５と、受信回路１１２側または送信回路１１３側のいずれかに切替えられて、切替えられた回路側に無線測定端子１１４およびＢＰＦ１１５を接続する送受信切替回路１１６とを有している。
【０００４】
無線測定端子１１４は、無線機の開発時や工場での大量生産時に、無線機が正常に動作しているかを確認することを目的として、無線特性測定用の信号が入出力される端子である。この無線測定端子１１４は、無線機の無線特性の測定時には、不図示の無線特性測定用機器にケーブルにより接続されて、無線特性測定用機器からの信号を入力したり、無線特性測定用機器に対して信号を出力したりする。
【０００５】
無線特性測定用機器は、無線機の一般的な無線特性（送信特性、受信特性）、例えば、送信パワー、周波数精度、受信感度などを測定するための機器である。例えば、無線特性測定用機器は、無線機の送信パワーの測定時には、無線機にて発生した送信パワー測定用の信号を無線測定端子１１４を介して入力し、その信号の送信パワーを測定し、また、無線機の受信感度の測定時には、受信感度測定用の信号を発生して無線測定端子１１４を介して無線機に出力し、その信号の測定を無線機に実行させる。
【０００６】
送受信切替回路１１６は、通常以下の動作を行う。
（１）送信中（自己の無線機の送信特性を測定中）
送信回路１１３側に切替えられて、無線測定端子１１４およびＢＰＦ１１５を送信回路１１３に接続する。このとき、無線測定端子１１４上の負荷は一定であり、通常、５０Ωである。
（２）受信中（自己の無線機の受信特性を測定中）
受信回路１１２側に切替えられて、無線測定端子１１４およびＢＰＦ１１５を受信回路１１２に接続する。このとき、無線測定端子１１４上の負荷は一定であり、通常、５０Ωである。
（３）待機中（隣接する他の無線機の無線特性を測定中で、自己の無線機が待機中）
受信回路１１２側に切替えられて、無線測定端子１１４およびＢＰＦ１１５を受信回路１１２に接続する。
【０００７】
例えば、待機中に、故障等により受信回路１１２がＯＮになり続ける、アンテナがＧＮＤと短絡する（負荷増大）等の条件が重なった場合、無線測定端子１１４およびＢＰＦ１１５が受信回路１１２側に接続されていても、受信回路１１２の入力が低インピーダンスで終端されるだけで特に受信回路１１２の熱破壊が生じることは無いと考えられる。
【０００８】
これに対して、待機中に、故障等により送信回路１１３がＯＮになり続ける、アンテナがＧＮＤと短絡する（負荷増大）等の条件が重なった場合、無線測定端子１１４およびＢＰＦ１１５が送信回路１１３側に接続されていると、送信回路１１３の出力が低インピーダンスで終端されることになり、送信回路１１３に過大な電流が流れ、送信回路１１３の熱破壊や、送信回路１１３周辺への悪影響が考えられる。
【０００９】
このように、待機中には、受信回路１１２と比較して、送信回路１１３で熱破壊等が生じる可能性が高いことから、送信回路１１３を保護するために、無線測定端子１１４およびＢＰＦ１１５を受信回路１１２側に接続するのが一般的である。なお、ＰＨＳ端末などの無線端末においては、小型かつ安価に製造する必要があるために特別な保護回路を設けていないこと、受信回路１１２は待機中に熱破壊が生じる可能性が低いことなどの理由で、受信回路１１２については保護回路により保護することはしていない。
【００１０】
また、待機中の電源は、受信回路１１２および送信回路１１３ともにＯＦＦとするため、電源ＯＦＦの受信回路１１２に接続されている無線測定端子１１４上の負荷は不定となる。
【００１１】
図３に示すような無線機を同一筐体に２つ隣接して搭載した無線端末が、例えば、特許文献１に開示されている。このような無線端末の無線特性を測定する無線端末測定システムの構成の一例を図４および図５に示す。なお、図４と図５とでは、システム構成自体は同一であるが、図４には、一方の無線機を送信中として送信特性を測定し、他方の無線機を待機中としている状態の構成が示されており、図５には、一方の無線機を受信中として受信特性を測定し、他方の無線機を待機中としている状態の構成が示されている。
【００１２】
図４および図５を参照すると、本従来例の無線端末測定システムは、図３と同様の構成である第１の無線機１１０1および第２の無線機１１０2を搭載した無線端末１２０と、第１の無線機１１０1または第２の無線機１１０2の無線特性の測定時に、無線特性測定用の信号が入出力される無線特性測定用機器１３０と、第１の無線機１１０1、第２の無線機１１０2、および無線特性測定用機器１３０を一括して接続する高周波の分配器１４０とを有している。
【００１３】
なお、図４および図５において、アンテナ１１１1，１１１2、受信回路１１２1，１１２2、送信回路１１３1，１１３2、無線測定端子１１４1，１１４2、ＢＰＦ１１５1，１１５2、送受信切替回路１１６1，１１６2は、それぞれ、図３における、アンテナ１１１、受信回路１１２、送信回路１１３、無線測定端子１１４、ＢＰＦ１１５、送受信切替回路１１６と対応しているものとする。
【００１４】
また、無線特性測定用機器１３０の分配器１４０側の端子の負荷は常に一定で、５０Ωであるものとする。
【００１５】
また、図４および図５には図示されていないが、本従来例の無線端末測定システムには、無線特性測定用機器１３０とＧＰＩＢ（Ｇｅｎｅｒａｌ  Ｐｕｒｐｏｓｅ  Ｉｎｔｅｒｆａｃｅ  Ｂｕｓ）インターフェース等により接続されて、無線特性測定用機器１３０を制御するとともに、第１の無線機１１０1および第２の無線機１１０2の各々とシリアルインターフェース等により接続されて、第１の無線機１１０1および第２の無線機１１０2を制御する制御装置が設けられているものとする。
【００１６】
以下、図４および図５に示した無線端末測定システムの動作について説明する。
【００１７】
最初に、第１の無線機１１０1を無線信号の送信中として送信特性を測定し、第２の無線機１１０2を待機中とする場合の動作について、図４を参照して説明する。ここでは、第１の無線機１１０1の送信特性として送信パワーを測定するものとして説明する。
【００１８】
第１の無線機１１０1においては、不図示の制御装置からの指示に基づき不図示の信号発生回路にて送信パワー測定用の信号を発生し、その信号を分配器１４０に送信する。このとき、送受信切替回路１１６1は、送信回路１１３1側に切替えられて、無線測定端子１１４1およびＢＰＦ１１５1を送信回路１１３1に接続している。そのため、無線測定端子１１４1上の負荷は一定で、５０Ωである。
【００１９】
分配器１４０においては、第１の無線機１１０1から送信されてきた信号を、無線特性測定用機器１３０および第２の無線機１１０2に分配出力し、無線特性測定用機器１３０においては、分配器１４０にて分配出力された信号の送信パワーを測定する。この送信パワーの測定値は、制御装置にて取得され管理される。
【００２０】
待機中の第２の無線機１１０2においては、分配器１４０にて分配出力された信号が受信される。このとき、送受信切替回路１１６2は、受信回路１１２1側に切替えられて、無線測定端子１１４2およびＢＰＦ１１５2を受信回路１１２2に接続している。この状態では受信回路１１２2の電源がＯＦＦとなっているため、無線測定端子１１４2の負荷は不定となる。
【００２１】
分配器１４０が第１の無線機１１０1からの信号を均等に分配するためには、待機中の第２の無線機１１０2の負荷が、常に一定の５０Ωとなる無線特性測定用機器１３０と同様に、５０Ωで終端されている必要がある。
【００２２】
しかし、上述のように、待機中の第２の無線機１１０2では無線測定端子１１４2の負荷が不定となるため、無線測定端子１１４2の負荷が無線特性測定用機器１３０の負荷とは同一とはならず、分配器１４０に配分誤差が生じてしまう。
【００２３】
次に、第１の無線機１１０1を無線信号の受信中として受信特性を測定し、第２の無線機１１０2を待機中とする場合の動作について、図５を参照して説明する。ここでは、第１の無線機１１０1の受信特性として受信感度を測定するものとして説明する。
【００２４】
無線特性測定用機器１３０においては、不図示の制御装置からの指示に基づき受信感度測定用の信号を発生し、その信号を分配器１４０に送信する。分配器１４０においては、無線特性測定用機器１３０から送信されてきた信号を、第１の無線機１１０1および第２の無線機１１０2に分配出力する。
【００２５】
第１の無線機１１０1においては、分配器１４０にて分配出力された信号が受信され、不図示の受信感度測定回路にて受信感度が測定される。このとき、送受信切替回路１１６1は、受信回路１１２1側に切替えられて、無線測定端子１１４1およびＢＰＦ１１５1を受信回路１１２1に接続している。そのため、無線測定端子１１４1上の負荷は一定で、５０Ωである。なお、受信感度の測定値は、制御装置にて取得され管理される。
【００２６】
一方、待機中の第２の無線機１１０2においても、分配器１４０にて分配出力された信号が受信される。このとき、送受信切替回路１１６2は、受信回路１１２1側に切替えられて、無線測定端子１１４2およびＢＰＦ１１５2を受信回路１１２2に接続している。この状態では受信回路１１２2の電源がＯＦＦとなっているため、無線測定端子１１４2の負荷は不定となる。
【００２７】
分配器１４０が無線特性測定用機器１３０からの信号を均等に分配するためには、待機中の第２の無線機１１０2の負荷が、第１の無線機１１０1と同様に、一定の５０Ωで終端されている必要がある。
【００２８】
しかし、上述のように、待機中の第２の無線機１１０2では無線測定端子１１４2の負荷が不定となるため、無線測定端子１１４1の負荷と無線測定端子１１４2の負荷とが同一とはならず、分配器１４０に配分誤差が生じてしまう。
【００２９】
図４および図５を用いて説明したように、第１の無線機１１０1および第２の無線機１１０2の各々の負荷は無線機の状態に応じて異なるため、分配器１４０には配分誤差が生じてしまう。その結果、例えば、第１の無線機１１０1と第２の無線機１１０2とで交互に電波を出力し、各々の出力値を測定すると、本来は同じ値になるにも関わらず出力値が異なってしまう。
【特許文献１】特開２００４−１７９９７５号公報
【発明の開示】
【発明が解決しようとする課題】
【００３０】
上述したように、従来技術においては、第１の無線機、第２の無線機、および無線特性測定用機器を分配器に一括接続した場合、第１および第２の無線機の各々の負荷が無線機の状態に応じて異なるために分配器に配分誤差が生じてしまうという課題があった。
【００３１】
本発明の目的は、第１の無線機、第２の無線機、および無線特性測定用機器を分配器に一括接続した場合に、第１および第２の無線機の各々の負荷を無線機の状態に関わらず同一とすることにより、分配器の配分誤差を低減することができる無線端末、無線端末測定システムおよび無線端末における無線測定端子の接続方法を提供することにある。
【課題を解決するための手段】
【００３２】
上記目的を達成するために本発明は、
同種類の第１および第２の無線機を搭載する無線端末において、
前記第１および第２の無線機の各々は、
自己または他方の無線機の無線特性の測定時に、無線特性測定用の所定の信号が入出力される無線測定端子と、
受信回路と、
送信回路と、
前記受信回路側または前記送信回路側に切替えられて、切替えられた回路側に前記無線測定端子を接続する送受信切替回路と、
前記送受信切替回路と前記送信回路との間に配置され、前記送信回路から前記送受信回路へ向かう方向にのみ信号を通過させるアイソレータとを有し、
前記送受信切替回路は、他方の無線機の無線特性を測定するために自己の無線機が待機中となる場合、前記送信回路側に切替えられて、前記無線測定端子を前記アイソレータに接続することを特徴とする。
【００３３】
この構成によれば、第１および第２の無線機の各々においては、待機中である場合、送受信切替回路が送信回路側に切替えられて、電源のＯＮ／ＯＦＦに関係なく負荷が一定であるアイソレータに無線測定端子を接続しているため、無線測定端子の待機中の負荷を、送信中、受信中と同じにすることができる。
【００３４】
また、第１および第２の無線機の各々においては、待機中である場合、無線測定端子をアイソレータを介して送信回路と接続しているため、他方の無線機からの信号が送信回路に送信されて、送信回路に熱破壊や三次元歪みが生じることを防止でき、送信回路の負荷を安定にすることができるため、送信回路を保護することができる。
【発明の効果】
【００３５】
以上説明したように本発明においては、第１および第２の無線機の各々において、待機中である場合、送受信切替回路が送信回路側に切替えられて、電源のＯＮ／ＯＦＦに関係なく負荷が一定であるアイソレータに無線測定端子を接続しているため、無線測定端子の待機中の負荷は、送信中、受信中と同じになる。
【００３６】
そのため、分配器に、第１の無線機、第２の無線機、および無線特性測定用機器を一括接続しても、分配器から見て、第１の無線機側の負荷、第２の無線機側の負荷、および無線特性測定用機器側の負荷が常に同一になるため、分配器の配分誤差が生じるのを抑えることができるという効果を奏する。
【発明を実施するための最良の形態】
【００３７】
以下に、本発明を実施するための最良の形態について図面を参照して説明する。
【００３８】
本発明の一実施形態の無線端末測定システムの構成を図１および図２に示す。なお、図１と図２とでは、システム構成自体は同一であるが、図１には、一方の無線機を送信中として送信特性を測定し、他方の無線機を待機中としている状態の構成が示されており、図２には、一方の無線機を受信中として受信特性を測定し、他方の無線機を待機中としている状態の構成が示されている。
【００３９】
図１および図２を参照すると、本実施形態の無線端末測定システムは、第１の無線機１０1および第２の無線機１０2を搭載した無線端末２０と、第１の無線機１０1または第２の無線機１０2の無線特性の測定時に、無線特性測定用の信号が入出力される無線特性測定用機器３０と、第１の無線機１０1、第２の無線機１０2、および無線特性測定用機器３０を一括して接続する高周波の分配器４０とを有している。
【００４０】
本実施形態においては、第１の無線機１０1において、送信回路１３1と送受信切替回路１６1との間に配置され、送信回路１３1から送受信切替回路１６1へ向かう方向にのみ信号を通過させるアイソレータ１７1を設け、また、第２の無線機１０2において、送信回路１３2と送受信切替回路１６2との間に配置され、送信回路１３2から送受信切替回路１６2へ向かう方向にのみ信号を通過させるアイソレータ１７2を設けた点が、図３に示した従来構成と比較して異なっている。
【００４１】
なお、図１および図２において、アンテナ１１1，１１2、受信回路１２1，１２2、送信回路１３1，１３2、無線測定端子１４1，１４2、ＢＰＦ１５1，１５2、送受信切替回路１６1，１６2は、それぞれ、図３における、アンテナ１１、受信回路１２、送信回路１３、無線測定端子１４、ＢＰＦ１５、送受信切替回路１６と対応しているものとする。
【００４２】
また、無線特性測定用機器３０の分配器４０側の端子の負荷は常に一定で、５０Ωであるものとする。
【００４３】
また、図１および図２には図示されていないが、本実施形態の無線端末測定システムには、無線特性測定用機器３０とＧＰＩＢインターフェース等により接続されて、無線特性測定用機器３０を制御するとともに、第１の無線機１０1および第２の無線機１０2の各々とシリアルインターフェース等により接続されて、第１の無線機１０1および第２の無線機１０2を制御する制御装置が設けられているものとする。
【００４４】
上記のように構成される本実施形態においては、例えば、第１の無線機１０1の無線特性を測定するために第２の無線機１０2が待機中となる場合、送受信切替回路１６2は送信回路１３2側に切替えられて、無線測定端子１４2およびＢＰＦ１５2をアイソレータ１７2に接続し、無線測定端子１４2上の負荷を一定（５０Ω）にする。その結果、待機中でも、無線測定端子１４2上の負荷は、送信中、受信中と同じになる。第１の無線機１０1が待機中である場合も同様である。
【００４５】
これにより、分配器４０における第１の無線機１０1側の端子および第２の無線機１０2側の端子の負荷が常に同一となるため、分配量の誤差を抑えることができる。
【００４６】
なお、アイソレータ１７1，１７2には周波数特性があるため、第１の無線機１０1および第２の無線機１０2は、同一の周波数帯を使用する同種類の無線機（例えば、ＰＨＳ用無線機）とする必要がある。異なる周波数帯の別種類の無線機を組み合わせた場合（例えば、ＰＨＳ用無線機と無線ＬＡＮ（Ｌｏｃａｌ  Ａｒｅａ  Ｎｅｔｗｏｒｋ）用無線機との組み合わせ）、自己の無線機（例えば、ＰＨＳ用無線機）の無線特性を測定中、分配器２０を通して見える他方の無線機（例えば、無線ＬＡＮ用無線機）は５０Ωで終端されないとことがあると考えられる。
【００４７】
また、第１の無線機１０1および第２の無線機１０2を同種類のＰＨＳ用無線機とし、双方の無線機をともにデータ通信用として使用する場合には、通常は一方の無線機のみを動作させて通信を行うが、状況に応じて他方の無線機も動作させて、より多くの通信回線を使用することにより通信速度を向上させることが可能となる。
【００４８】
以下、図１および図２に示した無線端末測定システムの動作について説明する。
【００４９】
最初に、第１の無線機１０1を無線信号の送信中として送信特性を測定し、第２の無線機１０2を待機中とする場合の動作について、図１を参照して説明する。ここでは、第１の無線機１０1の送信特性として送信パワーを測定するものとして説明する。
【００５０】
第１の無線機１０1においては、不図示の制御装置からの指示に基づき不図示の信号発生回路にて送信パワー測定用の信号を発生し、その信号を分配器４０に送信する。このとき、送受信切替回路１６1は、送信回路１３1側に切替えられて、ＢＰＦ１５1をアイソレータ１７1に接続している。そのため、無線測定端子１１４1上の負荷は一定で、５０Ωである。
【００５１】
分配器４０においては、第１の無線機１０1から送信されてきた信号を、無線特性測定用機器３０および第２の無線機１０2に分配出力し、無線特性測定用機器３０においては、分配器４０にて分配出力された信号の送信パワーを測定する。この送信パワーの測定値は、制御装置にて取得され管理される。
【００５２】
待機中の第２の無線機１０2においては、分配器４０にて分配出力された信号が受信される。このとき、送受信切替回路１１６2は、送信回路１３2側に切替えられて、ＢＰＦ１５2をアイソレータ１７2に接続している。
【００５３】
ここで、送受信切替回路１６2は、接続先の切替のみを行う回路であるため、ＢＰＦ１５2の負荷へ影響を与えることは無い。そのため、ＢＰＦ１５2の送信回路１３2側の端子の負荷は、アイソレータ１７2に直接接続された場合の負荷と等価となる。
【００５４】
また、アイソレータ１７2は、電源のＯＮ／ＯＦＦに関係なく負荷が一定である。そのため、第２の無線機１０2の状態が待機中であってもＢＰＦ１５2の送信回路１３2側の端子の負荷は一定で５０Ωとなる。
【００５５】
このように、ＢＰＦ１５2の送信回路１３2側の端子の負荷が一定になるため、最終的に無線測定端子１４2の負荷は一定で５０Ωとなる。
【００５６】
したがって、第１の無線機１０1が送信中で、第２の無線機１０2が待機中である場合にも、待機中の無線測定端子１４2の負荷が、無線特性測定用機器１３０の負荷と同様に、一定で５０Ωになるため、分配器１４０の配分誤差が低減される。
【００５７】
次に、第１の無線機１０1を無線信号の受信中として受信特性を測定し、第２の無線機１０2を待機中とする場合の動作について、図２を参照して説明する。ここでは、第１の無線機１０1の受信特性として受信感度を測定するものとして説明する。
【００５８】
無線特性測定用機器３０においては、不図示の制御装置からの指示に基づき受信感度測定用の信号を発生し、その信号を分配器４０に送信する。分配器４０においては、無線特性測定用機器３０から送信されてきた信号を、第１の無線機１０1および第２の無線機１０2に分配出力する。
【００５９】
第１の無線機１０1においては、分配器４０にて分配出力された信号が受信され、不図示の受信感度測定回路にて受信感度が測定される。このとき、送受信切替回路１１６1は、受信回路１１２1側に切替えられて、ＢＰＦ１１５1をアイソレータ１７1に接続している。そのため、無線測定端子１１４1上の負荷は一定で、５０Ωである。なお、受信感度の測定値は、制御装置にて取得され管理される。
【００６０】
一方、待機中の第２の無線機１０2においても、分配器４０にて分配出力された信号が受信される。このとき、送受信切替回路１１６2は、送信回路１３2側に切替えられて、ＢＰＦ１５2をアイソレータ１７2に接続している。そのため、図１の場合と同様の理由で、最終的に無線測定端子１４2の負荷は一定で５０Ωとなる。
【００６１】
したがって、第１の無線機１０1が受信中で、第２の無線機１０2が待機中である場合にも、待機中の無線測定端子１４2の負荷は、受信中の第１の無線機１０1の負荷と同様に、一定で５０Ωになるため、分配器１４０の配分誤差が低減される。
【００６２】
上述したように本実施形態においては、第２の無線機１０2が待機中である場合、送受信切替回路１６2が送信回路１３2側に切替えられて、電源のＯＮ／ＯＦＦに関係なく負荷が一定であるアイソレータ１７2に無線測定端子１４2およびＢＰＦ１５2を接続している。このため、無線測定端子１４2上の待機中の負荷は、送信中、受信中と同じになる。また、第１の無線機１０1が待機中である場合も同様に、無線測定端子１４1上の待機中の負荷は、送信中、受信中と同じになる。これにより、分配器４０から見て、第１の無線機１０1および第２の無線機１０2の状態に関わらず、第１の無線機１０1側の負荷、第２の無線機１０2側の負荷、および無線特性測定用機器３０側の負荷が常に同一になるため、分配器４０の配分誤差が生じるのを抑えることができる。
【００６３】
また、本実施形態においては、待機中である第２の無線機１０2では、無線測定端子１４2およびＢＰＦ１５2を、信号を一方向にのみ通過させるアイソレータ１７2を介して送信回路１３2と接続している。これにより、第１の無線機１０1からの信号が送信回路１３2に送信されて、送信回路１３2に熱破壊や三次元歪みが生じることを防止でき、送信回路１３2の負荷を安定にすることができるため、従来は待機中に送受信切替回路１６2を受信回路１２2側に接続することで行っていた送信回路１３2の保護を実現することができる。また、第１の無線機１０1が待機中である場合も同様に、送信回路１３1を保護することができる。
【００６４】
なお、本実施形態においては、無線特性の測定時には、余計な輻射を抑えるために、無線測定端子１４1，１４2からアンテナ１１1，１１2を切り離すことが望ましい。そのための構成としては、例えば、無線測定端子１４1，１４2の構成を、分配器４０からのケーブルが挿入されると、自動的にアンテナ１１1，１１2側への接続が切れる構成とすることが考えられる。なお、この構成の場合、測定終了後、アンテナ１１1，１１2をジャンパー線等で無線測定端子１４1，１４2に接続する。
【図面の簡単な説明】
【００６５】
【図１】本発明の一実施形態の無線端末測定システムの構成の一例として、一方の無線機を送信中とし、他方の無線機を待機中としている状態を示す図である。
【図２】本発明の一実施形態の無線端末測定システムの構成の一例として、一方の無線機を受信中とし、他方の無線機を待機中としている状態を示す図である。
【図３】従来の無線端末に搭載される無線機の構成の一例を示す図である。
【図４】従来の無線端末の無線端末測定システムの構成の一例として、一方の無線機を送信中とし、他方の無線機を待機中としている状態を示す図である。
【図５】従来の無線端末測定システムの構成の一例として、一方の無線機を受信中とし、他方の無線機を待機中としている状態を示す図である。
【符号の説明】
【００６６】
１０1    第１の無線機
１０2    第２の無線機
１１1，１１2    アンテナ
１２1，１２2    受信回路
１３1，１３2    送信回路
１４1，１４2    無線測定端子
１５1，１５2    ＢＰＦ
１６1，１６2    送受信切替回路
１７1，１７2    アイソレータ
２０    無線端末
３０    無線特性測定用機器
４０    分配器
【図１】
2006148653.tif 000003
【図２】
2006148653.tif 000004
【図３】
2006148653.tif 000005
【図４】
2006148653.tif 000006
【図５】
2006148653.tif 000007